(57)【要約】【課題】再撮された映像情報であっても、著作権を提示して埋め込むことができ、また、機械的な検索ができる状態にすることができる電子透かし埋め込み方法および電子透かし提示装置を提供する。【解決手段】電子透かしの埋め込み方法は、表示面に映像を投射する映像投射装置において前記表示面に投射される映像に対して、その映像の著作権を示す電子透かしを光線照射装置３により提示して埋め込む電子透かし埋め込み方法であって、前記映像投射装置１で表示面に映像Ａを投射して表示すると共に、前記表示面２に表示されている映像上に、前記光線照射装置３により前記電子透かしａ１を赤外線または紫外線により投射して提示するものである。【選択図】      図１
2005026759.tif 000002
【特許請求の範囲】
【請求項１】
表示面に映像を投射する映像投射装置において前記表示面に投射される映像に対して、その映像の著作権を示す電子透かしを光線照射装置により提示して埋め込む電子透かし埋め込み方法であって、
前記映像投射装置で表示面に映像を投射して表示すると共に、前記表示面に表示されている映像上に、前記光線照射装置により前記電子透かしを赤外線または紫外線により投射して提示することを特徴とする電子透かし埋め込み方法。
【請求項２】
映像を表示する表示画面上に前記映像の著作権を示す電子透かしを提示する電子透かし提示装置であって、
前記映像を表示する色の三原色であるＲＧＢからなる色表示素子と、この色表示素子に隣接して設けた赤外線または紫外線により前記電子透かしを出射して提示する出射素子と、を備えることを特徴とする電子透かし提示装置。
【請求項３】
映像信号から得られた映像を表示する表示画面上に前記映像を表示すると共に、前記映像の著作権を示す電子透かしを提示する電子透かし提示装置であって、
前記映像信号と前記電子透かしとして出力する照射信号とが重畳されている電波を受信する受信手段と、この受信手段で受信した電波から前記映像信号と前記照射信号とを検波する検波手段と、この検波手段で検波された映像信号に含まれる色信号の色同期を行う色同期手段と、この色同期手段により同期された色信号を復調させ、色の三原色であるＲＧＢ画素とする色復調手段と、この色復調手段で復調されたＲＧＢ画素を出力する色信号出力手段と、この色信号出力手段により出力されたＲＧＢ画素を表示する色表示素子と、前記検波手段で検波された照射信号を出力する照射信号出力手段と、この照射信号出力手段で出力された照射信号を前記電子透かしとして出力する出射素子と、を備えることを特徴とする電子透かし提示装置。
【発明の詳細な説明】
【０００１】
【発明の属する技術分野】
本発明は、スクリーンなどの表示面に投射して表示される投射映像に対して電子透かしを埋め込む電子透かし埋め込み方法、および、ＬＣＤ、ＣＲＴあるいはＰＤＰなどのディスプレイに表示される映像に対して電子透かしを提示する電子透かし提示装置に関するものである。
【０００２】
【従来の技術】
一般に、テレビ番組や、インターネット上に開示されている映像データなどの映像情報は、編集装置あるいは記録装置の発達により、その映像情報の一部を利用して簡単に編集することができる。そのため、映像情報の不正な利用を排除することを目的として、著作権を表示する電子透かしを所定位置に埋め込む技術が開発されている（例えば、特許文献１参照）。
【０００３】
また、前記した電子透かしを埋め込む技術では、一旦撮影した映像情報に対して、編集するときに電子透かしが埋め込まれる場合が多く、撮影カメラで撮影した映像情報について不正な利用を排除することが困難となる。そのため、撮影カメラで撮影したときに、同時に電子透かしが埋め込まれる装置が種々提案されている（例えば、特許文献２参照）。
【０００４】
【特許文献１】
特開２００２−１００５８号公報
（段落番号００２３〜００５５、図１〜図３）
【特許文献２】
特開２００２−２６２０６０号公報
（段落番号０００９〜００２２、図１〜図３）
【０００５】
【発明が解決しようとする課題】
しかし、従来の電子透かしを埋め込む手段などでは、以下に示すような問題点が存在していた。
従来の電子透かしを埋め込む手段では、映像情報のデータ内に著作権を示す電子透かしを埋め込んでいるため、例えば、表示画面に表示されている映像情報をＣＣＤカメラなどの撮像手段により再度撮影（以下、「再撮」という）を行なうことで録画された場合に、電子透かしを検出することが不可能となる。そのため、再撮された映像情報の内、例えば、番組冒頭から所定時間経過した１分間についての映像を転用されたときには、著作権を明確に提示することが困難となる。
【０００６】
特に、放送局において製作された番組内の映像情報には、撮影現場が密林の奥地である場合や、あるいは、絶海の孤島など、撮影時の多大な苦労および多大な経費をかけて撮影し、かつ、撮影時の映像情報に電子透かしが埋め込まれたとしても、再撮された映像が部分的に使用されたときに、その映像情報に対する著作権の証明を行なうことが困難であった。
【０００７】
さらに、再撮された映像情報が、インターネット上に公開された場合や、磁気テープ、ＣＤあるいはＤＶＤなどの記録媒体で転売された場合には、電子透かしなどの識別できるデータとして機械的に検索できる状態でないと、膨大な数の映像情報を人手によりチェックする方法しかなく、また、それらしい映像を発見したとしても、本来の映像情報の全部でなく一部が転用されている場合については、著作権を証明することが困難であり、実質的に不正利用を容認することになってしまった。
【０００８】
本発明は、以上のような問題点に鑑みてなされたものであり、再撮された映像情報であっても、著作権を提示して埋め込むことができ、また、機械的な検索ができる状態にすることができる電子透かし埋め込み方法および電子透かし提示装置を提供することを目的とする。
【０００９】
【課題を解決するための手段】
前記目的を達成するため、本発明にかかる電子透かしの埋め込み方法は、表示面に映像を投射する映像投射装置において前記表示面に投射される映像に対して、その映像の著作権を示す電子透かしを光線照射装置により提示して埋め込む電子透かし埋め込み方法であって、前記映像投射装置で表示面に映像を投射して表示すると共に、前記表示面に表示されている映像上に、前記光線照射装置により前記電子透かしを赤外線または紫外線により投射して提示するものである。
【００１０】
このような電子透かしの埋め込み方法とすることにより、映画館あるいは、航空機内等において投射して表示されている例えば映画などの映像情報は支障なく目視でき、画面上の電子透かしが目視ではない。また、第三者が再撮を行なった場合には、赤外線または紫外線によりに提示している電子透かしが、ＣＣＤカメラなどの機械的な撮影に対しては映像情報と合せて表示される状態となる。なお、検出装置により電子透かしを検出する場合には、ブロックマッチングなどの手法を用いることができ、また、例えば、映像情報上に表示されている電子透かしが強調できるようにして再生することで、さらに明確に映像の著作権を確認することができる。
【００１１】
また、本発明にかかる電子透かし提示装置は、映像を表示する表示画面上に前記映像の著作権を示す電子透かしを提示する電子透かし提示装置であって、前記映像を表示する色の三原色であるＲＧＢからなる色表示素子と、この色表示素子に隣接して設けた赤外線または紫外線により前記電子透かしを出射して提示する出射素子と、を備える構成とした。
【００１２】
このように構成されることにより、電子透かし提示装置は、表示画面に表示される映像が色表示素子により表示され、また、出射素子から紫外線あるいは赤外線により電子透かしを提示している。そのため、再撮された場合であっても必ず映像の著作権を主張することが可能となる。
【００１３】
さらに、電子透かし提示装置は、映像信号から得られた映像を表示する表示画面上に前記映像を表示すると共に、前記映像の著作権を示す電子透かしを提示する電子透かし提示装置であって、前記映像信号と前記電子透かしとして出力する照射信号とが重畳されている電波を受信する受信手段と、この受信手段で受信した電波から前記映像信号と前記照射信号とを検波する検波手段と、この検波手段で検波された映像信号に含まれる色信号の色同期を行う色同期手段と、この色同期手段により同期された色信号を復調させ、色の三原色であるＲＧＢ画素とする色復調手段と、この色復調手段で復調されたＲＧＢ画素を出力する色信号出力手段と、この色信号出力手段により出力されたＲＧＢ画素を表示する色表示素子と、前記検波手段で検波された照射信号を出力する照射信号出力手段と、この照射信号出力手段で出力された照射信号を前記電子透かしとして出力する出射素子と、を備える構成とした。
【００１４】
このように構成されることにより、電子透かし提示装置は、はじめに受信手段により映像信号（映像音声信号）を受信して検波手段によりその映像信号から色信号と照射信号とを検波し、色信号は色同期手段により同期がとられ、また、色復調手段により色信号が復調され、かつ、復調された色信号が出力手段により色表示素子に出力されることで映像を表示している。それと同時に、電子透かし提示装置は、検波手段により検波された照射信号が照射信号出力手段により出射素子に出力されて、画面上では視認できない赤外線あるいは紫外線により電子透かしが提示される状態となる。
【００１５】
【発明の実施の形態】
以下、本発明にかかる電子透かし埋め込み方法および電子透かし提示装置の実施の形態について、図面を参照して説明する。図１は電子透かし埋め込み方法を模式的に示す斜視図、図２は光線照射装置を模式的に示す断面図である。
図１に示すように、電子透かし埋め込み方法では、投射して表示面であるスクリーン２上に映像Ａを表示する映像投射装置１と、この映像投射装置１で表示する映像Ａに対して重ねて、電子透かしａ１を赤外線あるいは紫外線により光線照射装置３から投射して提示して埋め込んでいる。
【００１６】
図２に示すように、光線照射装置３は、ここでは、赤外線により映像Ａの著作権を示すデータとして会社のロゴなどの識別マークを電子透かしａ１としてスクリーン２上に提示するものである。
【００１７】
この光線照射装置３は、筒体３ｇ内に設置された赤外線を照射する赤外線発光部（赤外線電球）３ａと、この赤外線発光部３ａを電源スイッチのオンにより駆動する駆動回路（フリップフロップ回路）３ｂと、赤外線発光部３ａから照射された赤外線を平面波にして赤外線に指向性を持たせる集光レンズ３ｃと、この集光レンズ３ｃからの赤外線に対して遮断あるいは透過させる液晶シャッタ３ｄと、この液晶シャッタ３ｄから透過する赤外線をスクリーン２側に焦点を合せて投射させる移動自在な凸レンズ３ｅおよび凹レンズ３ｆと、液晶シャッタ３ｄの液晶を駆動させる液晶シャッタ駆動手段３ｈと、この液晶シャッタ駆動手段３ｈに対して、提示するパターン（電子透かし）を入力するための入力手段３ｊと、この入力手段３ｊにより入力され実際に提示されるパターンを色の明暗あるいはカラーなどでイメージ映像として表示する入力画像表示手段３ｋと、各レンズ３ｃ，３ｅ，３ｆおよび液晶シャッタ３ｄを筒体３ｇに沿って前後に移動させる移動手段３ｍとを備えている。
【００１８】
光線照射装置３は、入力手段３ｊにより、電子透かしａ１として提示したい文字などのパターンを入力して、画面上のどの位置でどのくらいの範囲で示すかを設定する。例えば、この光線照射装置３の入力手段３ｊにより提示したいパターン（例えば、ＮとＨとＫ、図１参照）を入力すると、液晶シャッタ３ｄにより遮断および透過する赤外線により形成した状態を模式的に入力画像表示手段３ｋに表示して確認することができる。なお、入力画像表示手段３ｋに表示されているパターンは、本来スクリーン上で認識できない電子透かしａ１（図１参照）であり、検出装置２０（図４参照）を介して検出したときに認識できるものである。
【００１９】
つぎに、光線照射装置３では、スクリーン２に液晶シャッタ３ｄで形成した電子透かし（パターン）ａ１の焦点が合うように各レンズ３ｃ，３ｅ，３ｆおよび液晶シャッタ３ｄを入力手段３ｊから入力した数値などのデータにより移動手段３ｍを介して移動させて調整する。なお、光線照射装置３では、実際にはスクリーン２で確認することができないので、入力画像表示画面３ｋに模式的に表示されているパターン（電子透かし）が、スクリーン２の焦点距離を適切な位置として設定されたときには、ピントがあった状態で画面上に示され、また、焦点距離が適切でない位置であるときにはピントがぼけた状態として示されるように、あらかじめ設定されている。
【００２０】
図１に示すように、光線照射装置３の設定が終了すれば、あとは、実際に映画館などで映画が上映されたときに、そのスクリーン２上に、光線照射装置３から液晶シャッタ３ｄを介して赤外線により電子透かしａ１を映像Ａの所定位置に投射して提示すれば良い。
【００２１】
したがって、光線照射装置３により電子透かしａ１を提示している映像Ａを、仮に第三者が不正にＣＣＤカメラ、撮影ビデオカメラなどで撮影して適当な映像を編集して不正なビデオ映像を作成して記録媒体あるいはネット上で販売しても、その撮影ビデオカメラなどで撮影した場合には、電子透かしａ１が表示された映像となる。また、例えば、図４に示すような検出装置２０により赤外線による電子透かしａ１を機械的に検出する場合には、あらかじめ用意している基準パターンによりパターンマッチングの手法を介して検出することができるものである。
【００２２】
なお、検出装置２０は、再生装置３０あるいは端末４１を介してインターネット４０からの映像信号を入力して検出するパターンマッチングなどの検出手段２１およびその検出手段２１により検出した結果の映像を出力する出力手段２２を備えており、出力手段２２から出力された映像データを、表示装置３１により表示して確認できるように構成されている。この検出装置２０は、電子透かしａ１の位置が特定できない際にも、その基準パターンにより画面をスキャンすれば電子透かしａ１をパターンマッチグで検出することができるものである。
【００２３】
つぎに、図３を参照して電子透かし提示装置の説明をする。図３は電子透かし提示装置を模式的に示す模式図である。なお、この電子透かし提示装置１０で受信して表示する映像音声信号は、後記する表示部１１に配置した出射素子１１ｂで赤外線または紫外線により電子透かしａ２を出射して提示することができる照射信号が重畳されているものである。
【００２４】
図３に示すように、電子透かし提示装置１０は、表示部１１と制御部１２とを備えている。そして、表示部１１は、映像信号から復調されたＲＧＢ画素により表示されるＲＧＢ素子１１ａと、このＲＧＢ素子１１ａに隣接して配置され電子透かしａ２を赤外線または紫外線により提示するための出射素子１１ｂとを備えている。そして、出射素子１１ｂは、ここでは、赤外線を出射するものであり、ＣＣＤカメラなどで機械的に撮影する場合には、電子透かしａ２がその再撮した映像に表示されるように赤外線を出射できるものである。
【００２５】
また、制御部１２は、アンテナなどで受信した映像音声信号を受ける受信手段１２ａと、この受信手段１２ａで受信した映像音声信号を検波する検波手段１２ｂと、この検波手段１２ｂにより映像音声信号から検波された色信号の色同期をとる色同期手段１２ｃと、この色同期手段１２ｃにより色同期した色信号をＲＧＢ画素として復調させる色復調手段１２ｄと、この色復調手段１２ｄにより復調されたＲＧＢ画素を出力する色信号出力手段１２ｅと、検波手段１２ｂにより映像音声信号から検波された照射信号を出力する照射信号出力手段１２ｆと、この照射信号出力手段１２ｆと色信号出力手段１２ｅとの同期をとる同期手段１２ｇとを備えている。
【００２６】
この制御部１２の検波手段１２ｂは、図示しない映像中間周波数増幅回路で増幅された映像音声信号から映像信号、音声信号ならびに照射信号を検波して取りだすものである。この検波手段１２は、一例として、ダイオード等により検波回路を形成することで構成できるものである。
【００２７】
照射信号出力手段１２ｆは、検波手段１２ｂにより検波された照射信号により、どの位置の出射素子１１ｂを点灯させるかどうかの信号を出力するものである。この照射信号出力手段１２ｆは、例えば、検波された照射信号に基づいて点灯させた出射素子１１ｂにより電子透かしａ２を画面上に提示させている。なお、提示される電子透かしａ２は、映像ごとに異なるパターンになるように、あらかじめ送信側により設定されている。
【００２８】
また、同期手段１２ｇは、色信号出力手段１２ｅから出力されるＲＧＢ画素と、照射信号出力手段１２ｆから出力される照射信号との同期をとるものである。この同期手段１２ｇは、どの画像のフレームにおいても適切な位置に電子透かしａ２が提示できるようにしており、特に、映像の各フレームに対して電子透かしａ２の位置を変えて提示するときに有効となる。また、電子透かしａ２の位置が常にフレームの中央などの一定の位置で提示するものであるときには、この同期手段１２ｇは、必要がないものとなる。なお、同期手段１２ｇがない場合には、照射信号出力手段１２ｆから出射素子１１ｂに照射信号が出力され、また、色信号出力手段１２ｅからＲＧＢ画素がＲＧＢ素子１１ａに出力される構成となる。
【００２９】
なお、制御部１２は、電子透かしａ２を提示するための照射信号出力手段１２ｆ以外の他の構成において、一般的な映像音声信号から映像を表示するものと同等であるため、詳細については説明を省略する。
【００３０】
つぎに、電子透かし提示装置１０の動作を説明する。
はじめに、電子透かし提示装置１０に送信する映像音声信号は、あらかじめ映像に対して著作権を示すパターンが照射信号として送信側において重畳された状態で設定されている。
【００３１】
電子透かし提示装置１０は、映像音声信号を受信手段１２ａにより受信すると映像信号および音声信号は検波手段１２ｂにより検波されてそれぞれ各手段を介して出力され、それぞれ映像としてＲＧＢ素子１１ａにより表示部１１に映像として表示されると共に、その映像に対応する音声が図示しないスピーカから出力される。それと同時に、電子透かし提示装置１０では、検波手段１２ｂで映像音声信号から検波された照射信号に基づいて照射信号出力手段１２ｆから照射信号が出力され出射素子１１ｂを介して電子透かしａ２が表示部１１上に提示される状態となる。
電子透かし提示装置１０では、表示部１１に表示されている映像は視認できる状態であるが、電子透かしａ２については、ＣＣＤカメラなどの機械的な撮像を行なった場合には、その映像上に表示される状態となる。
【００３２】
したがって、第三者が悪意の編集を目的としてビデオカメラなどの撮影装置により映像を再撮し場合には、どの映像のシーンを用いても電子透かしａ２が表示されており、また、検出装置２０により検出されることになり、正当な著作権の権利者は、その映像に対して権利の侵害を主張することが可能となる。
【００３３】
前記したように、本発明の電子透かし埋め込み方法および電子透かし提示装置では、赤外線により著作権を示すパターンを電子透かしとして画面から出射して提示するように説明したが、同時に表示されている映像に対して影響が少なく、目視できない光線で、かつ、検出装置により検出できるものであれば、紫外線、あるいは非可視光線で提示することも可能である。
【００３４】
また、電子透かし提示装置では、送信側から送られてくる映像音声信号に照射信号を重畳させて出射素子から赤外線を出射して電子透かしとしたが、他の構成として、例えば、映像を配信するチャンネル装置に連動してそのチャンネルの放送局に対応する著作権を示す電子透かしを提示するように構成しても構わない。
【００３５】
【発明の効果】
以上説明したように、本発明にかかる電子透かし埋め込み方法および電子透かし提示装置では、以下に示す優れた効果を奏するものである。
電子透かし埋め込み方法では、投射して表示される映画などの映像に対して第三者が再撮して編集しても、すべての映像に電子透かしが埋め込まれることになり、どのシーンの映像を使用しても、電子透かしが表示されることになり、また、検出装置により機械的に確実に検出することが可能となり、第三者が映像を不正使用して、利益をえることを防止することができる。
【００３６】
電子透かし提示装置では、映像を表示する色表示素子に隣接して電子透かしを提示する出射素子を設置しているため、表示画面上で色表示素子により表示する映像に対して、赤外線などにより電子透かしを出射素子により提示することが可能となる。そのため、第三者が再撮しても映像に対する著作権を主張することが可能となる。
【００３７】
電子透かし提示装置では、送信側により送られてくる映像音声信号に重畳されている照射信号に基づいて、表示画面に設置されている出射素子から赤外線などにより電子透かしを提示することができるため、第三者が再撮を行なって編集しても、全ての映像に対するシーンに電子透かしが埋め込まれることになり、映像に対する著作権を正当な権利に基づいて主張することが可能となる。
【図面の簡単な説明】
【図１】本発明にかかる電子透かし埋め込み方法を模式的に示す斜視図である。
【図２】本発明にかかる電子透かし埋め込み方法に用いられる光線照射装置を模式的に示す断面図である。
【図３】本発明にかかる電子透かし提示装置を模式的に示す模式図である。
【図４】本発明にかかる電子透かし埋め込み方法あるいは電子透かし提示装置により提示した電子透かしを検出する検出装置を模式的に示す模式図である。
【符号の説明】
１        映像投射装置
２        スクリーン（表示画面）
３        光線照射装置
３ａ      赤外線発光部
３ｂ      駆動回路
３ｃ      集光レンズ
３ｄ      液晶シャッタ
３ｅ      凸レンズ
３ｆ      凹レンズ
３ｇ      筒体
３ｈ      液晶シャッタ駆動手段
３ｊ      入力手段
３ｋ      入力画像表示手段
３ｍ      移動手段
１０      電子透かし提示装置
１１      表示部
１２      制御部
１２ａ    受信手段
１２ｂ    検波手段
１２ｃ    色同期手段
１２ｄ    色復調手段
１２ｅ    色信号出力手段
１２ｆ    照射信号出力手段
１２ｇ    同期手段
２０      検出装置
２１      検出手段
２２      出力手段
３０      再生装置
３１      表示装置
４０      インターネット
【図１】
2005026759.tif 000003
【図２】
2005026759.tif 000004
【図３】
2005026759.tif 000005
【図４】
2005026759.tif 000006